(57)【要約】【課題】いずれかの指と隣り合う指とを連動させることにより、指の把持力が効果的に発揮されるサポート部材を提供する。【解決手段】サポート部材３０は、打撃具２のグリップ２１に取り付けられるものである。サポート部材２１は、打撃具２のグリップ２１に固定される固定部材３１と、固定部材３１に取り付けられたベルト部材３２とを備えている。【選択図】図１
2018166720.tif 000002
【特許請求の範囲】
【請求項１】
打撃具のグリップに取り付けられるサポート部材であって、
前記打撃具の前記グリップに固定される固定部材と、
前記固定部材に取り付けられたベルト部材とを備えた、サポート部材。
【請求項２】
前記ベルト部材は、前記グリップの先端側から根元側に向かって延在するように構成されている、請求項１に記載のサポート部材。
【請求項３】
前記固定部材は、前記ベルト部材における前記グリップの先端側に取り付けられている、請求項２に記載のサポート部材。
【請求項４】
前記固定部材は、前記ベルト部材における前記グリップの先端側と前記ベルト部材における前記グリップの根元側の端部との間の中央付近に取り付けられている、請求項２に記載のサポート部材。
【請求項５】
前記固定部材は、第１固定部と、第２固定部とを含み、
前記第１固定部は、前記ベルト部材における前記グリップの先端側に取り付けられており、
前記第２固定部は、前記ベルト部材における前記グリップの根元側に取り付けられている、請求項２に記載のサポート部材。
【請求項６】
前記固定部材は、第３固定部を含み、
前記第３固定部は、前記ベルト部材における前記グリップの先端側と前記ベルト部材における前記グリップの根元側との間の中央付近に取り付けられている、請求項５に記載のサポート部材。
【請求項７】
前記固定部材は、第１固定部と、第２固定部とを含み、
前記第１固定部は、前記ベルト部材における前記グリップの先端側に取り付けられており、
前記第２固定部は、前記ベルト部材における前記グリップの先端側と前記ベルト部材における前記グリップの根元側との間の中央付近に取り付けられている、請求項２に記載のサポート部材。
【請求項８】
前記ベルト部材は、第１ベルト部と、第２ベルト部とを含み、
前記第１ベルト部と前記第２ベルト部とは、互いに並走するように構成されている、請求項３または４に記載のサポート部材。
【請求項９】
前記ベルト部材は、長さ方向の中央から一方端および他方端のそれぞれに向けて幅方向に分岐するように構成されている、請求項４に記載のサポート部材。
【請求項１０】
前記ベルト部材は、弾性部材により構成されている、請求項１〜７のいずれか１項に記載のサポート部材。
【請求項１１】
前記ベルト部材は、伸縮部材により構成されている、請求項１〜７のいずれか１項に記載のサポート部材。
【請求項１２】
打撃具のグリップであって、
固定部材と、
前記固定部材に取り付けられたベルト部材とを備えた、グリップ。
【発明の詳細な説明】
【技術分野】
【０００１】
本発明は、サポート部材およびグリップに関するものである。
【背景技術】
【０００２】
従来、たとえば野球、ゴルフなどのスポーツでは、打撃具を主に小指、薬指および中指で把持することが良いとされている。
【０００３】
小指、薬指および中指では、それぞれの指が独立して打撃具のグリップを把持するときの把持力よりも、いずれかの指と隣り合う指とを連動させて打撃具を把持するときの把持力が大きくなることが知られている。
【０００４】
また、たとえば、特開２００２−４５４５４号公報（特許文献１）には、野球用バットが記載されている。この公報に記載された野球用バットでは、グリップ部の一次モーメントを特定の数値とすることで振りやすくすることができる。
【先行技術文献】
【特許文献】
【０００５】
【特許文献１】特開２００２−４５４５４号公報
【発明の概要】
【発明が解決しようとする課題】
【０００６】
上記公報に記載された野球用バットにおいては、いずれかの指と隣り合う指とを連動させることは想定されていない。
【０００７】
本発明は上記課題に鑑みてなされたものであり、その目的は、いずれかの指と隣り合う指とを連動させることにより、指の把持力が効果的に発揮されるサポート部材およびグリップを提供することである。
【課題を解決するための手段】
【０００８】
本発明のサポート部材は、打撃具のグリップに取り付けられるものである。サポート部材は、打撃具のグリップに固定される固定部材と、固定部材に取り付けられたベルト部材とを備えている。
【０００９】
本発明のサポート部材によれば、ベルト部材がいずれかの指の背および当該指に隣り合う指の腹に位置するようにベルト部材が把持されることにより、当該指および隣り合う指を連動させることができる。また、隣り合う指がベルト部材を押すことによって隣り合う指の把持力がベルト部材を介して当該指に作用する。これにより、当該指がグリップに押し付けられるため、当該指の把持力が補強される。したがって、当該指および隣り合う指の把持力が効果的に発揮される。
【００１０】
上記のサポート部材において好ましくは、ベルト部材は、グリップの先端側から根元側に向かって延在するように構成されている。これにより、いずれかの指の背および当該指に隣り合う指の腹に位置するようにベルト部材を把持することが容易である。
【００１１】
上記のサポート部材において好ましくは、固定部材は、ベルト部材におけるグリップの先端側に取り付けられている。これにより、ベルト部材の全体を固定部材からグリップの根元側に向かって延在させることができる。このため、いずれかの指の背および当該指に隣り合う指の腹に位置するようにベルト部材を把持することが容易である。
【００１２】
上記のサポート部材において好ましくは、固定部材は、ベルト部材におけるグリップの先端側とベルト部材におけるグリップの根元側との間の中央付近に取り付けられている。これにより、装着者は固定部材を挟んでグリップの先端側および根元側でベルト部材を把持することができる。
【００１３】
上記のサポート部材において好ましくは、固定部材は、第１固定部と、第２固定部とを含んでいる。第１固定部は、ベルト部材におけるグリップの先端側に取り付けられている。第２固定部は、ベルト部材におけるグリップの根元側に取り付けられている。これにより、第１固定部および第２固定部によってベルト部材がグリップの先端側と根元側で固定されるため、ベルト部材を安定して固定することができる。
【００１４】
上記のサポート部材において好ましくは、固定部材は、第３固定部を含んでいる。第３固定部は、ベルト部材におけるグリップの先端側とベルト部材におけるグリップの根元側との間の中央付近に取り付けられている。これにより、第３固定部を挟んでグリップの先端側および根元側でベルト部材を把持することができる。
【００１５】
上記のサポート部材において好ましくは、固定部材は、第１固定部と、第２固定部とを含んでいる。第１固定部は、ベルト部材におけるグリップの先端側に取り付けられている。第２固定部は、ベルト部材におけるグリップの先端側とベルト部材におけるグリップの根元側との間の中央付近に取り付けられている。これにより、固定部材によってベルト部材におけるグリップの先端側と中央付近でベルト部材が固定されるため、ベルト部材を安定して固定することができる。
【００１６】
上記のサポート部材において好ましくは、ベルト部材は、第１ベルト部と、第２ベルト部とを含む。第１ベルト部と第２ベルト部とは、互いに並走するように構成されている。これにより、隣り合う指の把持力を第１ベルト部および第２ベルト部のそれぞれを介して当該指に作用させることができる。
【００１７】
上記のサポート部材において好ましくは、ベルト部材は、長さ方向の中央から一方端および他方端のそれぞれに向けて幅方向に分岐するように構成されている。これにより、隣り合う指の把持色を分岐したベルト部材を介して当該指に作用させることができる。
【００１８】
上記のサポート部材において好ましくは、ベルト部材は、弾性部材により構成されている。このため、ベルト部材の弾性力によって当該指をグリップに押し付けることができる。
【００１９】
上記のサポート部材において好ましくは、ベルト部材は、伸縮部材により構成されている。このため、ベルト部材が伸縮することによって当該指をグリップに押し付けることができる。
【００２０】
本発明のグリップは、打撃具のグリップである。グリップは、固定部材と、固定部材に取り付けられたベルト部材とを備える。
【００２１】
本発明のグリップによれば、ベルト部材がいずれかの指の背および当該指に隣り合う指の腹に位置するようにベルト部材が把持されることにより、当該指および隣り合う指を連動させることができる。また、隣り合う指がベルト部材を押すことによって隣り合う指の把持力がベルト部材を介して当該指に作用する。これにより、当該指がグリップに押し付けられるため、当該指の把持力が補強される。したがって、当該指および隣り合う指の把持力が効果的に発揮される。
【発明の効果】
【００２２】
以上説明したように、本発明によれば、いずれかの指と隣り合う指とを連動させることにより、指の把持力が効果的に発揮されるサポート部材およびグリップを提供することができる。
【図面の簡単な説明】
【００２３】
【図１】本発明の実施の形態１におけるサポート部材が打撃具としての野球用バットに取り付けられた状態を概略的に示す正面図である。
【図２】図１のＩＩ−ＩＩ線に沿う端面図である。
【図３】本発明の実施の形態１におけるサポート部材を概略的に示す斜視図である。
【図４】本発明の実施の形態１におけるサポート部材の固定部材が広げられた状態を概略的に示す斜視図である。
【図５】本発明の実施の形態１におけるサポート部材が野球用バットのグリップに取り付けられた状態を概略的に示す斜視図である。
【図６】本発明の実施の形態１におけるサポート部材のベルト部材に装着者が指をかけて野球用バットのグリップを握った様子を概略的に示す斜視図である。
【図７】本発明の実施の形態１の変形例１におけるサポート部材を概略的に示す斜視図である。
【図８】本発明の実施の形態１の変形例１におけるサポート部材の固定部材が広げられた状態を概略的に示す斜視図である。
【図９】本発明の実施の形態１の変形例１におけるサポート部材が野球用バットのグリップに取り付けられた状態を概略的に示す斜視図である。
【図１０】本発明の実施の形態１の変形例１におけるサポート部材のベルト部材に装着者が指をかけて野球用バットのグリップを握った様子を概略的に示す斜視図である。
【図１１】本発明の実施の形態１の変形例２におけるサポート部材を概略的に示す斜視図である。
【図１２】本発明の実施の形態１の変形例２におけるサポート部材が野球用バットのグリップに取り付けられた状態を概略的に示す斜視図である。
【図１３】本発明の実施の形態１の変形例２におけるサポート部材のベルト部材に装着者が指をかけて野球用バットのグリップを握った様子を概略的に示す斜視図である。
【図１４】本発明の実施の形態１の変形例３におけるサポート部材を概略的に示す斜視図である。
【図１５】本発明の実施の形態１の変形例３におけるサポート部材が野球用バットのグリップに取り付けられた状態を概略的に示す斜視図である。
【図１６】本発明の実施の形態１の変形例３におけるサポート部材のベルト部材に装着者が指をかけて野球用バットのグリップを握った様子を概略的に示す斜視図である。
【図１７】本発明の実施の形態１の変形例４におけるサポート部材を概略的に示す斜視図である。
【図１８】本発明の実施の形態１の変形例４におけるサポート部材のベルト部材に装着者が指をかけて野球用バットのグリップを握った様子を概略的に示す斜視図である。
【図１９】本発明の実施の形態１の変形例５におけるサポート部材を概略的に示す斜視図である。
【図２０】本発明の実施の形態１の変形例５におけるサポート部材のベルト部材に装着者が指をかけて野球用バットのグリップを握った様子を概略的に示す斜視図である。
【図２１】本発明の実施の形態１の変形例６におけるサポート部材を概略的に示す斜視図である。
【図２２】本発明の実施の形態１の変形例６におけるサポート部材のベルト部材に装着者が指をかけて野球用バットのグリップを握った様子を概略的に示す斜視図である。
【図２３】本発明の実施の形態１のサポート部材のベルト部材が装着者の第１関節と第２関節との間に配置された様子を概略的に示す斜視図である。
【図２４】本発明の実施の形態２における打撃具としての野球用バットを概略的に示す正面図である。
【図２５】本発明の実施の形態２の変形例１における打撃具のグリップを概略的に示す斜視図である。
【図２６】本発明の実施の形態２の変形例２における打撃具のグリップを概略的に示す斜視図である。
【図２７】図２６に示された打撃具のグリップの分解斜視図である。
【図２８】図２６のＸＸＶＩＩＩ−ＸＸＶＩＩＩ線に沿う断面図である。
【図２９】本発明の実施の形態２の変形例３における打撃具のグリップを概略的に示す斜視図である。
【図３０】図２９に示された打撃具のグリップの分解斜視図である。
【図３１】図２９のＸＸＸＩ−ＸＸＸＩ線に沿う断面図である。
【図３２】実施例の打撃具を概略的に示す正面図である。
【図３３】実施例のスイング速度の代表値とスイング条件とを示すグラフである。
【発明を実施するための形態】
【００２４】
以下、図面に基づいて本発明の実施の形態を説明する。なお、特に言及しない限り、以下の図面において同一または対応する部分には同一の参照符号を付し、その説明を繰り返さない。
【００２５】
（実施の形態１）
図１〜図６を参照して、本発明の実施の形態１におけるサポート部材３０の構成について説明する。
【００２６】
図１および図２に示されるように、打撃具２として野球用バットが例示されている。この野球用バットはソフトボール用バットを含んでいる。サポート部材３０は打撃具２のグリップ２１に取り付けられるように構成されている。
【００２７】
サポート部材３０は、固定部材３１と、ベルト部材３２とを備えている。固定部材３１は、打撃具２のグリップ２１に固定されるように構成されている。固定部材３１は、グリップ２１の周方向の全周に亘ってグリップ２１に接触している。なお、固定部材３１は、グリップ２１の周方向の全周に亘ってグリップ２１に接触していなくてもよい。サポート部材３０は、少なくとも１つの固定部材３１を備えている。サポート部材３０は、複数の固定部材３１を備えていてもよい。
【００２８】
図１および図３に示されるように、固定部材３１は、ベルト部材３２におけるグリップ２１の先端側に取り付けられている。グリップ２１の先端側はグリップ２１の全長のうち上側１／３の部分を意味している。またグリップ２１の中央付近はグリップ２１の全長のうち上下方向の真ん中１／３の部分を意味している。またグリップ２１の根元側はグリップ２１の全長のうち下側１／３の部分を意味している。固定部材３１は円環状に構成されている。ベルト部材３２は、固定部材３１に取り付けられている。ベルト部材３２は、打撃具２のグリップ２１の先端側から根元側に向かって延在するように構成されている。具体的には、ベルト部材３２は、固定部材３１の周方向の一部に取り付けられている。ベルト部材３２は、円環状の固定部材３１中心軸が延びる方向に沿って延びるように構成されている。ベルト部材３２は帯状に構成されている。ベルト部材３２の幅は一定である。
【００２９】
固定部材３１は、たとえば弾性部材により構成されている。固定部材３１は、たとえば伸縮部材により構成されている。具体的には、固定部材３１の材料として、伸縮性素材（ニットまたはメッシュ）などが好適に用いられる。
【００３０】
ベルト部材３２は、たとえば弾性部材により構成されている。ベルト部材３２は、たとえば伸縮部材により構成されている。具体的には、ベルト部材３２の材料として、たとえば、ゴム、シリコン、発泡体（ＥＶＡ（Ethylene-Vinyl  Acetate：エチレン−酢酸ビニル共重合樹脂）またはウレタンなど）、革（合成皮革または天然皮革）、プラスチック、伸縮性素材（ニットまたはメッシュなど）の少なくともいずれかが好適に用いられる。また、ベルト部材３２の材料として、たとえば、金属、木、紙およびガラスの少なくともいずれを用いることも可能である。
【００３１】
図４および図５に示されるように、固定部材３１は、打撃具２のグリップ２１に着脱可能に構成されている。固定部材３１は、本体部３１Ａと、接合部材３１Ｂとを含んでいる。本体部３１Ａは帯状に構成されている。本体部３１Ａの幅はたとえば一定としてもよい。本体部３１Ａは、たとえば弾性部材により構成されている。本体部３１Ａは、たとえば伸縮部材により構成されている。具体的には、本体部３１Ａの材料として、伸縮性素材（ニットまたはメッシュ）などが好適に用いられる。
【００３２】
接合部材３１Ｂは本体部３１Ａの長さ方向の一方端部に取り付けられている。接合部材３１Ｂは本体部３１Ａの長さ方向の他方端部に接合可能に構成されている。接合部材３１Ｂは、たとえば面ファスナーである。本体部３１Ａの一方端部と他方端部とが接合部材３１Ｂで接合されることにより、固定部材３１は円環状に構成されている。
【００３３】
固定部材３１は打撃具２のグリップ２１に巻き付けられる。打撃具２のグリップ２１が円環状の固定部材３１の内周面に接触する。この状態で、本体部３１Ａの一方端部と他方端部とが接合部材３１Ｂで接合される。これにより、固定部材３１は打撃具２のグリップ２１に固定される。固定部材３１はベルト部材３２におけるグリップ２１の先端側に取り付けられているため、固定部材３１によってベルト部材３２の上端がグリップ２１に固定される。
【００３４】
図６に示されるように、装着者はベルト部材３２にたとえば両手の薬指をかけて打撃具２のグリップを把持する。この場合、ベルト部材３２は、装着者の人差し指の腹および中指の腹を通ってから中指と薬指との間を通って薬指の背に至り、薬指の背から薬指と小指の間を通って小指の腹に至るように配置されている。
【００３５】
ベルト部材３２は装着者の薬指の手掌側の根元と第１関節との間に配置されている。また、ベルト部材３２は装着者の人差し指、中指および小指のそれぞれの手掌側の根元と第１関節との間に配置されている。したがって、ベルト部材３２は、装着者の薬指、人差し指、中指および小指のそれぞれの手掌側の根元と第１関節との間に跨って配置されている。
【００３６】
上記では、装着者はベルト部材３２を薬指にかけているが、ベルト部材３２にかける指は薬指に限られず、たとえば中指などの他の指がかけられてもよい。
【００３７】
また、上記では、装着者はベルト部材３２を両手の指にかけているが、ベルト部材３２片手の指だけがかけられてもよい。
【００３８】
次に、本実施の形態におけるサポート部材３０の作用効果について説明する。
小指、薬指および中指では、それぞれの指が独立して打撃具２のグリップ２１を把持するときの把持力よりも、図６に示されるように、いずれかの指と隣り合う指とを連動させて打撃具のグリップを把持するときの把持力が大きくなる。
【００３９】
本実施の形態のサポート部材３０によれば、ベルト部材３２が薬指の背ならびに薬指に隣り合う中指および小指のそれぞれの腹に位置するようにベルト部材３２が把持されることにより、薬指ならびに中指および小指を連動させることができる。また、中指および小指がベルト部材３２を押すことによって中指および小指の把持力がベルト部材３２を介して薬指に作用する。これにより、薬指が打撃具２のグリップ２１に押し付けられるため、薬指の把持力が補強される。したがって、薬指ならびに中指および小指の把持力が効果的に発揮される。この結果、装着者が無駄な力を使わずにグリップ２１を把持することで野球用バットをスイングしたときのスイング速度を向上させることができる。
【００４０】
本実施の形態のサポート部材３０においては、ベルト部材３２は、グリップ２１の先端側から根元側に向かって延在するように構成されている。これにより、薬指の背ならびに中指の腹および小指の腹に位置するようにベルト部材を把持することが容易である。
【００４１】
本実施の形態のサポート部材３０においては、固定部材３１は、ベルト部材３２におけるグリップ２１の先端側に取り付けられている。これにより、ベルト部材３２の全体を固定部材３１からグリップ２１の根元側に向かって延在させることができる。このため、薬指の背ならびに中指の腹および小指の腹に位置するようにベルト部材３２を把持することが容易である。
【００４２】
本実施の形態のサポート部材３０においては、ベルト部材３２は、弾性部材により構成されている。このため、ベルト部材３２の弾性力によって薬指をグリップ２１に押し付けることができる。
【００４３】
本実施の形態のサポート部材３０においては、ベルト部材３２は、伸縮部材により構成されている。このため、ベルト部材３２が伸縮することによって薬指をグリップ２１に押し付けることができる。
【００４４】
次に、本実施の形態の各変形例について説明する。なお、特に言及しない限り、各変形例のサポート部材３０は上記の本実施の形態におけるサポート部材３０と同様の構成を備えている。
【００４５】
図７〜図１０を参照して、本実施の形態の変形例１におけるサポート部材３０について説明する。図７に示されるように、本実施の形態の変形例１におけるサポート部材３０では、図３に示される上記の実施の形態１のサポート部材３０と比べて、固定部材３１の配置が異なっている。固定部材３１はベルト部材３２の両端に配置されている。
【００４６】
固定部材３１は、第１固定部３１１および第２固定部３１２を含んでいる。第１固定部３１１は、ベルト部材３２におけるグリップ２１の先端側に取り付けられている。つまり、第１固定部３１１はベルト部材３２の上端に取り付けられている。第２固定部３１２は、ベルト部材３２におけるグリップ２１の根元側に取り付けられている。つまり、第２固定部３１２はベルト部材３２の下端に取り付けられている。
【００４７】
図８に示されるように、第１固定部３１１および第２固定部３１２のそれぞれは本体部３１Ａと、接合部材３１Ｂとを含んでいる。
【００４８】
図９に示されるように、第１固定部３１１および第２固定部３１２のそれぞれが打撃具２のグリップ２１に巻き付けられる。打撃具２のグリップ２１が第１固定部３１１および第２固定部３１２のそれぞれの内周面に接触する。この状態で、第１固定部３１１および第２固定部３１２のそれぞれの本体部３１Ａの一方端部と他方端部とが接合部材３１Ｂで接合される。これにより、第１固定部３１１および第２固定部３１２のそれぞれは打撃具２のグリップ２１に固定される。したがって、第１固定部３１１および第２固定部３１２によってベルト部材３２の両端がグリップ２１に固定される。
【００４９】
図１０に示されるように、装着者はベルト部材３２にたとえば両手の薬指をかけて打撃具２のグリップを把持する。この場合、ベルト部材３２は、装着者の人差し指の腹および中指の腹を通ってから中指と薬指との間を通って薬指の背に至り、薬指の背から薬指と小指の間を通って小指の腹に至るように配置されている。
【００５０】
本実施の形態の変形例１におけるサポート部材３０によれば、第１固定部３１１および第２固定部３１２によってベルト部材３２がグリップ２１の先端側と根元側で固定されるため、ベルト部材３２を安定して固定することができる。
【００５１】
図１１〜図１３を参照して、本実施の形態の変形例２におけるサポート部材３０について説明する。図１１に示されるように、本実施の形態の変形例２におけるサポート部材３０では、図３に示される上記の実施の形態１のサポート部材３０と比べて、固定部材３１の配置が異なっている。固定部材３１はベルト部材３２における上端および中央に配置されている。
【００５２】
固定部材３１は、第１固定部３１１および第２固定部３１２を含んでいる。第１固定部３１１は、ベルト部材３２におけるグリップ２１の先端側に取り付けられている。つまり、第１固定部３１１はベルト部材３２の上端に取り付けられている。第２固定部３１２は、ベルト部材３２におけるグリップ２１の先端側とベルト部材３２におけるグリップ２１の根元側との間の中央付近に取り付けられている。つまり、第２固定部３１２はベルト部材３２の中央に取り付けられている。
【００５３】
本実施の形態の変形例２におけるサポート部材３０においても、本実施の形態の変形例１におけるサポート部材３０と同様に、第１固定部３１１および第２固定部３１２のそれぞれは、図８に示される本体部３１Ａおよび接合部材３１Ｂを含んでいる。
【００５４】
図１２に示されるように、第１固定部３１１および第２固定部３１２のそれぞれが打撃具２のグリップ２１に巻き付けられた状態で、本体部３１Ａの一方端部と他方端部とが接合部材３１Ｂで接合される。これにより、第１固定部３１１および第２固定部３１２のそれぞれは打撃具２のグリップ２１に固定される。したがって、第１固定部３１１および第２固定部３１２によってベルト部材３２における上端および中央がグリップ２１に固定される。
【００５５】
図１３に示されるように、装着者はベルト部材３２にたとえば両手の薬指をかけて打撃具２のグリップを把持する。この場合、ベルト部材３２は、装着者の人差し指の腹および中指の腹を通ってから中指と薬指との間を通って薬指の背に至り、薬指の背から薬指と小指の間を通って小指の腹に至るように配置されている。
【００５６】
本実施の形態の変形例２におけるサポート部材３０によれば、第１固定部３１１および第２固定部３１２によってベルト部材３２におけるグリップ２１の先端側と、先端側と根元側との間の中央付近でベルト部材３２が固定されるため、ベルト部材３２を安定して固定することができる。また、ベルト部材３２におけるグリップ２１の根元側は固定されていないため、ベルト部材３２からグリップ２１の根元側の手の指を離脱することが容易である。
【００５７】
図１４〜図１６を参照して、本実施の形態の変形例３におけるサポート部材３０について説明する。図１４に示されるように、本実施の形態の変形例１におけるサポート部材３０では、図３に示される上記の実施の形態１のサポート部材３０と比べて、固定部材３１の配置が異なっている。固定部材３１はベルト部材３２の両端および中央に配置されている。
【００５８】
固定部材３１は、第１固定部３１１、第２固定部３１２および第３固定部３１３を含んでいる。第１固定部３１１は、ベルト部材３２におけるグリップ２１の先端側に取り付けられている。つまり、第１固定部３１１はベルト部材３２の上端に取り付けられている。第２固定部３１２は、ベルト部材３２におけるグリップ２１の根元側に取り付けられている。つまり、第２固定部３１２はベルト部材３２の下端に取り付けられている。第３固定部３１３は、ベルト部材３２におけるグリップ２１の先端側とベルト部材３２におけるグリップ２１の根元側との間の中央付近に取り付けられている。つまり、第３固定部３１３はベルト部材３２の中央に取り付けられている。
【００５９】
本実施の形態の変形例３におけるサポート部材３０においても、本実施の形態の変形例１におけるサポート部材３０と同様に、第１固定部３１１、第２固定部３１２および第３固定部３１３のそれぞれは、図８に示される本体部３１Ａおよび接合部材３１Ｂを含んでいる。
【００６０】
図１５に示されるように、第１固定部３１１、第２固定部３１２および第３固定部３１３のそれぞれが打撃具２のグリップ２１に巻き付けられた状態で、本体部３１Ａの一方端部と他方端部とが接合部材３１Ｂで接合される。これにより、第１固定部３１１、第２固定部３１２および第３固定部３１３のそれぞれは打撃具２のグリップ２１に固定される。したがって、第１固定部３１１、第２固定部３１２および第３固定部３１３によってベルト部材３２の両端および中央がグリップ２１に固定される。
【００６１】
図１６に示されるように、装着者はベルト部材３２にたとえば両手の薬指をかけて打撃具２のグリップを把持する。この場合、ベルト部材３２は、装着者の人差し指の腹および中指の腹を通ってから中指と薬指との間を通って薬指の背に至り、薬指の背から薬指と小指の間を通って小指の腹に至るように配置されている。
【００６２】
本実施の形態の変形例３におけるサポート部材３０によれば、第１固定部３１１、第２固定部３１２および第３固定部３１３によって、ベルト部材３２におけるグリップ２１の先端側と、根元側と、先端側と根元側との間の中央付近でベルト部材３２が固定されるため、ベルト部材３２を安定して固定することができる。
【００６３】
図１７および図１８を参照して、本実施の形態の変形例４におけるサポート部材３０について説明する。図１７に示されるように、本実施の形態の変形例４におけるサポート部材３０では、図３に示される上記の実施の形態１のサポート部材３０と比べて、ベルト部材３２の構成が異なっている。固定部材３１に２本のベルト部材３２が取り付けられている。
【００６４】
ベルト部材３２は、第１ベルト部３２Ａと、第２ベルト部３２Ｂとを含んでいる。第１ベルト部３２Ａと第２ベルト部３２Ｂとは、互いに並走するように構成されている。第１ベルト部３２Ａの幅は、第２ベルト部３２Ｂの幅とたとえば等しくてもよく、異なっていても良い。
【００６５】
本実施の形態の変形例４におけるサポート部材３０においても、本実施の形態のサポート部材３０と同様に、固定部材３１は図４に示される本体部３１Ａおよび接合部材３１Ｂを含んでいる。
【００６６】
図１８に示されるように、固定部材３１が打撃具２のグリップ２１に巻き付けられた状態で、本体部３１Ａの一方端部と他方端部とが接合部材３１Ｂで接合される。これにより、固定部材３１は打撃具２のグリップ２１に固定される。固定部材３１はベルト部材３２におけるグリップ２１の先端側に取り付けられているため、固定部材３１によってベルト部材３２の上端がグリップ２１に固定される。
【００６７】
装着者はベルト部材３２にたとえば両手の薬指をかけて打撃具２のグリップを把持する。この場合、ベルト部材３２は、装着者の人差し指の腹および中指の腹を通ってから中指と薬指との間を通って薬指の背に至り、薬指の背から薬指と小指の間を通って小指の腹に至るように配置されている。
【００６８】
第１ベルト部３２Ａおよび第２ベルト部３２Ｂはそれぞれ装着者の薬指の手掌側の根元と第１関節との間に配置されている。また、第１ベルト部３２Ａおよび第２ベルト部３２Ｂはそれぞれ装着者の人差し指、中指および小指のそれぞれの手掌側の根元と第１関節との間に配置されている。したがって、第１ベルト部３２Ａおよび第２ベルト部３２Ｂはそれぞれ、装着者の薬指、人差し指、中指および小指のそれぞれの手掌側の根元と第１関節との間に跨って配置されている。
【００６９】
本実施の形態の変形例４におけるサポート部材３０によれば、中指および小指の把持力を第１ベルト部３２Ａおよび第２ベルト部３２Ｂのそれぞれを介して薬指に作用させることができる。
【００７０】
また、第１ベルト部３２Ａおよび第２ベルト部３２Ｂのそれぞれによって薬指を打撃具２のグリップ２１に押し付けることができる。これにより、薬指を打撃具２のグリップ２１に安定して固定することができる。
【００７１】
図１９および図２０を参照して、本実施の形態の変形例５におけるサポート部材３０について説明する。図１９に示されるように、本実施の形態の変形例５におけるサポート部材３０では、図３に示される上記の実施の形態１のサポート部材３０と比べて、固定部材３１の配置およびベルト部材３２の構成が異なっている。固定部材３１はベルト部材３２の中央に配置されている。固定部材３１に２本のベルト部材３２が取り付けられている。
【００７２】
固定部材３１は、ベルト部材３２におけるグリップ２１の先端側とベルト部材３２におけるグリップ２１の根元側との間の中央付近に取り付けられている。ベルト部材３２は、第１ベルト部３２Ａと、第２ベルト部３２Ｂとを含んでいる。第１ベルト部３２Ａと第２ベルト部３２Ｂとは、互いに並走するように構成されている。第１ベルト部３２Ａの幅は、第２ベルト部３２Ｂの幅とたとえば等しくてもよく、異なっていても良い。
【００７３】
本実施の形態の変形例５におけるサポート部材３０においても、本実施の形態のサポート部材３０と同様に、固定部材３１は図４に示される本体部３１Ａおよび接合部材３１Ｂを含んでいる。
【００７４】
図２０に示されるように、固定部材３１が打撃具２のグリップ２１に巻き付けられた状態で、本体部３１Ａの一方端部と他方端部とが接合部材３１Ｂで接合される。これにより、固定部材３１は打撃具２のグリップ２１に固定される。固定部材３１はベルト部材３２のグリップ２１の中央に取り付けられているため、固定部材３１によってベルト部材３２の中央がグリップ２１に固定される。
【００７５】
装着者はベルト部材３２にたとえば両手の薬指をかけて打撃具２のグリップを把持する。この場合、ベルト部材３２は、装着者の人差し指の腹および中指の腹を通ってから中指と薬指との間を通って薬指の背に至り、薬指の背から薬指と小指の間を通って小指の腹に至るように配置されている。
【００７６】
第１ベルト部３２Ａおよび第２ベルト部３２Ｂはそれぞれ装着者の薬指の手掌側の根元と第１関節との間に配置されている。また、第１ベルト部３２Ａおよび第２ベルト部３２Ｂはそれぞれ装着者の人差し指、中指および小指のそれぞれの手掌側の根元と第１関節との間に配置されている。したがって、第１ベルト部３２Ａおよび第２ベルト部３２Ｂはそれぞれ、装着者の薬指、人差し指、中指および小指のそれぞれの手掌側の根元と第１関節との間に跨って配置されている。
【００７７】
本実施の形態の変形例５におけるサポート部材３０によれば、固定部材３１がベルト部材３２の中央に取り付けられているため、装着者は固定部材３１を挟んでグリップ２１の先端側および根元側でベルト部材３２を把持することができる。
【００７８】
また、ベルト部材３２におけるグリップ２１の先端側および根元側のそれぞれは固定されていないため、ベルト部材３２からグリップ２１の先端側および根元側のそれぞれの指を離脱することが容易である。
【００７９】
また、中指および小指の把持力を第１ベルト部３２Ａおよび第２ベルト部３２Ｂのそれぞれを介して薬指に作用させることができる。
【００８０】
また、第１ベルト部３２Ａおよび第２ベルト部３２Ｂのそれぞれによって薬指を打撃具２のグリップ２１に押し付けることができる。これにより、薬指を打撃具２のグリップ２１に安定して固定することができる。
【００８１】
図２１および図２２を参照して、本実施の形態の変形例６におけるサポート部材３０について説明する。図２１に示されるように、本実施の形態の変形例６におけるサポート部材３０では、図３に示される上記の実施の形態１のサポート部材３０と比べて、固定部材３１の配置およびベルト部材３２の構成が異なっている。固定部材３１はベルト部材３２の中央に配置されている。ベルト部材３２は分岐するように構成されている。
【００８２】
固定部材３１は、ベルト部材３２におけるグリップ２１の先端側とベルト部材３２におけるグリップ２１の根元側との間の中央付近に取り付けられている。ベルト部材３２は、長さ方向Ｄ１の中央３２１から一方端３２２および他方端３２３のそれぞれに向けて幅方向Ｄ２に分岐するように構成されている。ベルト部材３２は、長さ方向Ｄ１の中央３２１から一方端３２２および他方端３２３のそれぞれに向けて、幅方向Ｄ２に分岐する部分同士の間隔が広くなるように構成されている。ベルト部材３２は長さ方向Ｄ１の中央３２１で交差するように構成されている。ベルト部材３２は、長さ方向Ｄ１の中央３２１が固定部材３１に取り付けられるように構成されている。
【００８３】
本実施の形態の変形例６におけるサポート部材３０においても、本実施の形態のサポート部材３０と同様に、固定部材３１は図４に示される本体部３１Ａおよび接合部材３１Ｂを含んでいる。
【００８４】
図２２に示されるように、固定部材３１が打撃具２のグリップ２１に巻き付けられた状態で、本体部３１Ａの一方端部と他方端部とが接合部材３１Ｂで接合される。これにより、固定部材３１は打撃具２のグリップ２１に固定される。固定部材３１はベルト部材３２のグリップ２１の中央に取り付けられているため、固定部材３１によってベルト部材３２の中央がグリップ２１に固定される。
【００８５】
装着者はベルト部材３２にたとえば両手の薬指をかけて打撃具２のグリップを把持する。この場合、ベルト部材３２は、装着者の人差し指の腹および中指の腹を通ってから中指と薬指との間を通って薬指の背に至り、薬指の背から薬指と小指の間を通って小指の腹に至るように配置されている。
【００８６】
第１ベルト部３２Ａおよび第２ベルト部３２Ｂはそれぞれ装着者の薬指の手掌側の根元と第１関節との間に配置されている。また、第１ベルト部３２Ａおよび第２ベルト部３２Ｂはそれぞれ装着者の人差し指、中指および小指のそれぞれの手掌側の根元と第１関節との間に配置されている。したがって、第１ベルト部３２Ａおよび第２ベルト部３２Ｂはそれぞれ、装着者の薬指、人差し指、中指および小指のそれぞれの手掌側の根元と第１関節との間に跨って配置されている。
【００８７】
本実施の形態の変形例６におけるサポート部材３０によれば、ベルト部材３２は、長さ方向Ｄ１の中央３２１から一方端３２２および他方端３２３のそれぞれに向けて幅方向Ｄ２に分岐するように構成されている。このため、装着者の中指および小指の把持力を分岐したベルト部材３２を介して薬指に作用させることができる。また、分岐したベルト部材３２によって薬指の背を押すことができる。したがって、効率よく薬指の背を押すことができる。
【００８８】
また、固定部材３１がベルト部材３２の中央に取り付けられているため、装着者は固定部材３１を挟んでグリップ２１の先端側および根元側でベルト部材３２を把持することができる。
【００８９】
また、ベルト部材３２におけるグリップ２１の先端側および根元側のそれぞれは固定されていないため、ベルト部材３２からグリップ２１の先端側および根元側のそれぞれの指を離脱することが容易である。
【００９０】
上記の本実施の形態および各変形例では、ベルト部材３２は、薬指の手掌側の根元と第１関節との間に配置されている場合について説明した。しかしながら、ベルト部材３２は、図２３に示されるように、薬指の第１関節と第２関節の間に相当する位置に配置されていてもよい。
【００９１】
（実施の形態２）
図２４を参照して、本実施の形態２における打撃具２の構成について説明する。なお、特に言及しない限り、上記の本実施の形態１のサポート部材３０は上記の本実施の形態１におけるサポート部材３０と同様の構成を備えている。
【００９２】
図２４に示されるように、打撃具２として野球用バットが例示されている。この野球用バットはソフトボール用バットを含んでいる。
【００９３】
打撃具２のグリップ２１は、サポート部材３０を備えている。サポート部材３０は、固定部材３１と、ベルト部材３２とを備えている。固定部材３１は、打撃具２のグリップ２１にベルト部材３２を固定するように構成されている。ベルト部材３２は、固定部材３１に取り付けられている。
【００９４】
次に、本実施の形態におけるグリップ２１の作用効果について説明する。ここでは、ベルト部材３２に薬指がかけられた場合を例として説明する。
【００９５】
本実施の形態のグリップ２１によれば、ベルト部材３２が薬指の背ならびに薬指に隣り合う中指および小指のそれぞれの腹に位置するようにベルト部材３２が把持されることにより、薬指ならびに中指および小指を連動させることができる。また、中指および小指がベルト部材３２を押すことによって中指および小指の把持力がベルト部材３２を介して薬指に作用する。これにより、薬指が打撃具２のグリップ２１に押し付けられるため、薬指の把持力が補強される。したがって、薬指ならびに中指および小指の把持力が効果的に発揮される。
【００９６】
次に、本実施の形態の各変形例について説明する。なお、特に言及しない限り、各変形例のグリップ２１は上記の本実施の形態におけるグリップ２１と同様の構成を備えている。
【００９７】
図２５を参照して、本実施の形態の変形例１におけるグリップ２１について説明する。図２５に示されるように、本実施の形態の変形例１におけるグリップ２１では、図２４に示される上記の実施の形態２のグリップ２１と比べて、サポート部材３０の構成が異なっている。
【００９８】
サポート部材３０のベルト部材３２は、グリップテープで構成されている。ベルト部材３２はグリップ２１に巻かれている。ベルト部材３２の中間に、ベルト部材３２とグリップ２１との間に指を通せる隙間が設けられている。
【００９９】
次に、本実施の形態の変形例１におけるグリップ２１の作用効果について説明する。ここでは、ベルト部材３２に薬指がかけられた場合を例として説明する。
【０１００】
本実施の形態の変形例１におけるグリップ２１によれば、ベルト部材３２とグリップ２１との間の隙間に薬指が通された状態で中指および小指がベルト部材３２を押すことによって、中指および小指の把持力がベルト部材３２を介して薬指に作用する。これにより、薬指が打撃具２のグリップ２１に押し付けられるため、薬指の把持力が補強される。したがって、薬指ならびに中指および小指の把持力が効果的に発揮される。
【０１０１】
図２６〜図２８を参照して、本実施の形態の変形例２におけるグリップ２１について説明する。図２６〜図２８に示されるように、本実施の形態の変形例２におけるグリップ２１では、図２４に示される上記の実施の形態２のグリップ２１と比べて、固定部材３１の配置が異なっている。
【０１０２】
図２６に示されるように、固定部材３１は、第１固定部３１１および第２固定部３１２を含んでいる。第１固定部３１１は、ベルト部材３２におけるグリップ２１の先端側に取り付けられている。第２固定部３１２は、ベルト部材３２におけるグリップ２１の先端側とベルト部材３２におけるグリップ２１の根元側との間の中央付近に取り付けられている。
【０１０３】
図２７および図２８に示されるように、グリップ２１は凹部２１ａを含んでいる。凹部２１ａはグリップ２１の径方向に凹むように構成されている。凹部２１ａに固定部材３１が嵌められている。
【０１０４】
本実施の形態の変形例２におけるグリップ２１によれば、凹部２１ａに固定部材３１が嵌められているため、固定部材３１の取り付けが容易となる。また、固定部材３１がグリップ２１の径方向への突出が抑制されるため、装着者がグリップ２１を握りにくくならないようにすることができる。
【０１０５】
図２９〜図３１を参照して、本実施の形態の変形例３におけるグリップ２１について説明する。図２９〜図３１に示されるように、本実施の形態の変形例３におけるグリップ２１では、図２４に示される上記の実施の形態２のグリップ２１と比べて、固定部材３１の構成が異なっている。
【０１０６】
グリップ２１は挿通孔２１ｂを含んでいる。挿通孔２１ｂは、グリップ２１の表面においてグリップ２１の延在する方向に離れて配置された入口と出口とを連通するように構成されている。挿通孔２１ｂが固定部材３１を構成している。挿通孔２１ｂにベルト部材３２が挿入されている。
【０１０７】
本実施の形態の変形例３におけるグリップ２１によれば、ベルト部材３２を挿通孔２１ｂに挿入することにより、ベルト部材３２を挿通孔２１ｂに取り付けることができる。
【０１０８】
なお、上記の各実施の形態および各変形例は適宜組み合わせることができる。また、上記の各実施の形態および各変形例において、指の通し方は任意である。たとえば、片手の指のみをベルト部材１４に通してもよく、指を複数本あるベルト部材１４の一本のみに通してもよい。
【実施例】
【０１０９】
以下、本発明の実施例について説明する。本発明によるサポート部材およびグリップを構成するにあたり、以下の実験を実施した。
【０１１０】
（実験１）
図３２および図３３を参照して、ベルト部材の効果を次の実験により評価した。
【０１１１】
図３２に示される実験用バットが準備された。実験用バットでは、打撃具としての野球用バットのグリップにサポート部材が取り付けられている。サポート部材は固定部材とベルト部材とを有している。打野球用バットの長手方向に延在するベルト部材が固定部材によりグリップに固定されている。
【０１１２】
実験用バットの野球用バットは、木製ノックバットである。木製ノックバットの重さは５７０ｇである。木製ノックバットの全長は９１ｃｍである。ベルト部材は、互いに重ねられた２枚のＥＶＡのバンドにより構成されている。２枚のＥＶＡのバンドのそれぞれの厚さは２ｍｍである。２枚のＥＶＡのバンドのうち内側に配置されたバンドの幅は１５ｍｍであり、外側に配置されたバンドの幅は１０ｍｍである。２枚のＥＶＡのバンドのそれぞれの長さは２２ｃｍである。固定部材はビニールテープである。２枚のＥＶＡの長手方向の両端および真ん中にビニールテープが巻かれることにより、２枚のＥＶＡはグリップに取り付けられている。
【０１１３】
実験用バットを用いて９人の被験者がスイングしたときのスイング速度（ｋｍ／ｈ）が計測された。各被験者は野球経験を有する一般成人男性である。スイングは被験者毎に６回ずつ行われた。各被験者の６回のスイング速度の平均値を各被験者のスイング速度の代表値とした。スイング速度は、バットスイング解析システムであるミズノスイングトレーサー（美津濃株式会社製）を用いて計測された。このシステムは、グリップエンドに取り付けられた加速度センサおよびジャイロセンサの値からスイング速度を計測する。
【０１１４】
各被験者は、ベルト部材（構造体）を指にかける条件と、指にかけない条件の両方で、実験用バットを用いてスイングした。ベルト部材（構造体）を指にかける条件では、被験者はグリップエンド側の薬指をベルト部材（構造体）の下に挟み、その他の指をベルト部材（構造体）の上に置いてグリップを握った。ベルト部材（構造体）を指にかけない条件では、被験者は全ての指をベルト部材（構造体）の上においてグリップを握った。
【０１１５】
図３３は実験結果を示している。図３３は各被験者のスイング速度の代表値とスイング条件（指にかける条件および指にかけない条件）とを示している。図３３に示されるように、全ての被験者において、指にかける条件でのスイング速度の代表値は、指にかけない条件でのスイング速度の代表値と同等またはそれ以上となった。これにより、ベルト部材（構造体）を指にかけることによりスイング速度が向上することがわかった。
【０１１６】
（実験２）
表１を参照して、ベルト部材の効果を次の実験によりさらに評価した。
【０１１７】
図３２に示される実験用バットと同様の構成を備えた野球用バットを準備された。この野球用バットのグリップにサポート部材が取り付けられている。この野球用バットは、軟式野球用金属バットである。この野球用バットの重さは５７０ｇである。この野球用バットの全長は８４ｃｍである。
【０１１８】
上記実験１における９人の被験者のうち１人の被験者により、この野球用バットを用いてティー打撃時の手の圧力およびスイング速度が計測された。この被験者は１０年以上の野球経験を有する右打者である。スイングはベルト部材（構造体）を指にかける条件およびベルト部材（構造体）を指にかけない条件のそれぞれで４回ずつ行われた。
【０１１９】
スイング中の手の圧力を計測するため、被験者はタクタイルセンサ（センサーシート４２５６Ｅ；ニッタ株式会社製）を貼り付けた野球打撃用手袋を装着してスイングを行った。スイング中にタクタイルセンサにより計測された手の圧力のデータは、データロガーシステム（Ｆ−スキャンデータロガーシステム；ニッタ株式会社製）で読み込まれた。
【０１２０】
手の圧力として、被験者がベルト部材（構造体）を当てた部位である左手薬指の第２関節と第３関節との間の圧力および左手全体の圧力が計測された。これらの圧力として、野球用バットとボールとのインパクト前の圧力の最大値が計測された。
【０１２１】
スイング速度は、上記実験１と同様にミズノスイングトレーサー（美津濃株式会社製）を用いて計測された。
【０１２２】
【表１】
2018166720.tif 000003
【０１２３】
表１は計測結果を示している。表１は手の圧力とスイング速度とを示している。上述の通り、手の圧力として、薬指つけ根の圧力と手全体の圧力とが計測された。手の圧力は、薬指のつけ根および手全体の圧力ともに、ベルト部材（構造体）を指にかけない条件で最も圧力が大きかった試行の圧力値を１としたときの相対値である。
【０１２４】
ベルト部材（構造体）を指にかける条件では、ベルト部材（構造体）を指にかけない条件よりも、薬指つけ根の圧力は約１６％大きくなったものの、手全体の圧力は約１４％小さくなった。また、ベルト部材（構造体）を指にかける条件では、ベルト部材（構造体）を指にかけない条件よりも、スイング速度が約８％上昇した。これにより、薬指による把持力が補強され、かつ装着者が無駄な力を使わずにグリップを握ることでスイング速度が向上することがわかった。
【０１２５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【０１２６】
２  打撃具、２１  グリップ、２１ａ  凹部、２１ｂ  挿通孔、３０  サポート部材、３１  固定部材、３１Ａ  本体部、３１Ｂ  接合部材、３２  ベルト部材、３２Ａ  第１ベルト部、３２Ｂ  第２ベルト部、３１１  第１固定部、３１２  第２固定部、３１３  第３固定部、３２１  中央、３２２  一方端、３２３  他方端、Ｄ１  長さ方向、Ｄ２  幅方向。
【図１】
2018166720.tif 000004
【図２】
2018166720.tif 000005
【図３】
2018166720.tif 000006
【図４】
2018166720.tif 000007
【図５】
2018166720.tif 000008
【図６】
2018166720.tif 000009
【図７】
2018166720.tif 000010
【図８】
2018166720.tif 000011
【図９】
2018166720.tif 000012
【図１０】
2018166720.tif 000013
【図１１】
2018166720.tif 000014
【図１２】
2018166720.tif 000015
【図１３】
2018166720.tif 000016
【図１４】
2018166720.tif 000017
【図１５】
2018166720.tif 000018
【図１６】
2018166720.tif 000019
【図１７】
2018166720.tif 000020
【図１８】
2018166720.tif 000021
【図１９】
2018166720.tif 000022
【図２０】
2018166720.tif 000023
【図２１】
2018166720.tif 000024
【図２２】
2018166720.tif 000025
【図２３】
2018166720.tif 000026
【図２４】
2018166720.tif 000027
【図２５】
2018166720.tif 000028
【図２６】
2018166720.tif 000029
【図２７】
2018166720.tif 000030
【図２８】
2018166720.tif 000031
【図２９】
2018166720.tif 000032
【図３０】
2018166720.tif 000033
【図３１】
2018166720.tif 000034
【図３２】
2018166720.tif 000035
【図３３】
2018166720.tif 000036